(57)【要約】【課題】本考案は、床面が濡れて滑りやすい状態になっている、例えば、バスルームやスイミングプール等に適用する滑り止め床材を提供する。【解決手段】底板２０，３０，４０の上面に多数の踏み板２２，３２，４２を連結してなる滑り止め床材であって、前記底板の上面には所定のピッチで形成された複数の係合突起２０２，３０２，４０２を多数列状に形成すると共に、前記踏み板の左、右両側端面にはそれぞれ凹溝２２０，３２０，４２０を形成し、前記列状に配設した係合突起を、隣接する前記踏み板の対向する凹溝間に嵌合し、隣接する踏み板を前記底板の上面に結合させようにした構成とした。【選択図】図２
0003098492.tif 000002
【実用新案登録請求の範囲】
【請求項１】
底板の上面に多数の踏み板を連結してなる滑り止め床材であって、前記底板の上面には所定のピッチで形成された複数の係合突起を多数列状に形成すると共に、前記踏み板の左、右両側端面にはそれぞれ凹溝を形成し、前記列状に配設した係合突起を、隣接する前記踏み板の対向する凹溝間に嵌合し、隣接する踏み板を前記底板の上面に結合させようにしたことを特徴とする滑り止め床材。
【請求項２】
前記底板には、所定のピッチを有する貫通穴を列状に複数形成し、複数の締結部材が底板を貫通して嵌入することにより前記各踏み板の底面に結合されるようにしたことを特徴とする請求項１記載の滑り止め床材。
【請求項３】
前記踏み板は、パーティクルボード材であることを特徴とする請求項１記載の滑り止め床材。
【請求項４】
前記踏み板の底板との結合面中央長手方向には、凹溝が設けられることを特徴とする請求項１記載の滑り止め床材。
【請求項５】
前記底板は、パーティクルボードの平板状体である、
ことを特徴とする請求項１記載の滑り止め床材。
【請求項６】
前記係合突起の頭部は、立方体形状であることを特徴とする請求項１記載の滑り止め床材。
【請求項７】
前記係合突起の頭部は、半球形状であることを特徴とする請求項１記載の滑り止め床材。
【請求項８】
前記底板には、複数の排水穴が設けられていることを特徴とする請求項１記載の滑り止め床材。
【請求項９】
前記締結部材は、ねじであることを特徴とする請求項２記載の滑り止め床材。
【請求項１０】
前記締結部材は、くぎであることを特徴とする請求項２記載の滑り止め床材。
【考案の詳細な説明】
【０００１】
【考案の属する技術分野】
本考案は、滑り止め床材の構成に関し、床面が濡れて滑りやすい状態になっていて、人が不意に滑って転倒する可能性のある場所、例えば、バスルームやスイミングプール等に適用する滑り止め床材の構成に関する。
【０００２】
【従来の技術】
図１は、従来の滑り止め床材の分解斜視図である。図のような、従来の滑り止め床材は、Ｘ形状の隙間が設けられる底板１０と、複数の踏み板１２とが組み合わせられて構成されている。底板１０の上面に、踏み板１２の数に対応して複数列の適当なピッチを有する係合突起１０２が設けられ、各踏み板１２の下面に、底板１０にある係合突起１０２の位置に対応して凹溝１２０が形成されている。
【０００３】
図１からわかるように、従来の滑り止め床材は、踏み板１２の凹溝１２０と底板１０の複数列の係合突起１０２とが組合せられて構成されている。しかしながら、このような組合せ方式においては、容易に『撓み現象』を起こすことが知られている。その理由としては、一般的に踏み板１２が木質や可塑化材質で製造される板状体であり、且つ板状体自身に元来備わっている弾性があるため、板状体の中央に僅かな凹みができ、両側が上方へ湾曲するような現象が生じる。加えて、図１に示すような組合せ方式では、列状の係合突起１０２を踏み板１２の凹溝１２０と係合させて支持するようにしているため、上記現象は更にはっきりと顕著になり、いわゆる『撓み現象』が起こる原因となっている。
【０００４】
床面が濡れて滑りやすくなっている状態の場所に、従来の滑り止め床材を敷設すると、上記撓み現象があるため平坦でない踏み板を歩行することになり、歩行者に満足な快適感を与えることが出来ない上に、歩行中に不意に滑って転倒する可能性があるので、確実に滑り止め床材としての効果が達成できない。
【０００５】
【考案が解決しようとする課題】
本考案は、従来技術の欠点を改善して、確実に滑り止めの効果が達成でき、歩行者に満足な快適感を与え、かつ安全性の高い滑り止め床材を提供することを目的とする。
【０００６】
【課題を解決するための手段】
上記の目的を達成するため、本考案の滑り止め床板は、前記底板の上面には所定のピッチで形成された複数の係合突起を多数列状に形成すると共に、前記踏み板の左、右両側端面にはそれぞれ凹溝を形成し、前記列状に配設した係合突起を、隣接する前記踏み板の対向する凹溝間に嵌合し、隣接する踏み板を前記底板の上面に結合させようにしたことを特徴とする。
【０００７】
前記底板には、所定のピッチを有する貫通穴を列状に複数形成し、複数の締結部材が底板を貫通して嵌入することにより前記各踏み板の底面に結合されるようにしたことを特徴とする。
【０００８】
前記踏み板は、パーティクルボード材であることを特徴とする。
前記踏み板の底板との結合面中央長手方向には、凹溝が設けられることを特徴とする。
前記底板は、パーティクルボードの平板状体であることを特徴とする。
前記係合突起の頭部は、立方体形状であることを特徴とする。
前記係合突起の頭部は、半球形状であることを特徴とする。
記底板には、複数の排水穴が設けられていることを特徴とする。
前記締結部材は、ねじであることを特徴とする。
前記締結部材は、くぎであることを特徴とする。
【０００９】
【考案の実施の形態】
以下、本考案の目的や特徴及び効果を理解させるため、下記の具体的な実施例を図とともに詳細に説明する。
図２は、本考案の滑り止め床材にかかる具体的な一実施例の分解斜視図で、図３は、図２の実施例の組合せ完成状態の斜視図である。図４は図３の要部の縦断面図である。
【００１０】
図２及び図３から分かるように、本考案の滑り止め床材は、一般的にパーティクルボードからなる平板状体で、その上面には多数列にそれぞれ所定のピッチを有する係合突起２０２が形成されると共に、複数の排水穴２０４が設けられた底板２０と、一般的にパーティクルボードからなる細幅で長尺状の平板で、左、右両側端面の長手方向にそれぞれ凹溝２２０，２２０が設けられた複数の踏み板２２とからなる。
【００１１】
図４は、図３の要部断面図で、図４からはっきりと観察できるように、本考案においては、前記各凹溝２２０には、それぞれ底板２０に形成した各列の係合突起２０２の頭部２０２ａが対応して係合し、これにより、複数の踏み板２２が、底板２０の上面に結合されるようになっている。
また、本考案による踏み板２２の左，右両側端面には、凹溝２２０が形成されており、この凹溝２２０に底板２０の係合突起２０２の頭部２０２ａが緊密に嵌合する状態でとりつけられるので、踏み板の左右に負荷が均一に掛かるようになり、各踏み板２２を全体として平坦な状態に結合でき、撓み現象等が起こらないようになっている。
【００１２】
また、図５は、本考案の滑り止め床材に係る他の実施例を示す断面図で、図４相当図である。
この図５と前記実施例の図４の異なるところは、図５の係合突起３０２の形状が、図４の係合突起２０２の形状と異なる点にある。
図４の係合突起２０２の頭部２０２ａ形状は、立方体形状で、柱部は角筒状体に形成されているが、図５の係合突起３０２の頭部３０２ａ形状は、半球形状で、柱部は円筒状体に形成してある。
図４及び図５の係合突起２０２及び３０２の頭部の形状がそれぞれ異なっていても、頭部２０２ａ及び２０３ａが踏み板２２の両側端面の凹溝２２０及び３２０に嵌合することで底板２０と踏み板２２を確実に連結する、という作用効果は同様である。
【００１３】
図６は、本考案の滑り止め床材のさらに異なる他の実施例の分解斜視図である。
図６から分かるように、底板４０には、上述の各実施例の構成に加えて、底板４０に所定のピッチを有して複数列状に配設した貫通穴４００が形成されている。前記貫通穴４００は、例えば、ねじ，釘などの締結部材４４が貫通するためのもので、底板４０の底面側を貫通したねじ等の締結部材４４を各踏み板４２底面に螺合させることができる。したがって、各踏み板４２をさらに底板４０の上面に確実に結合することができる。また、踏み板４２は、左右両側端面にそれぞれ凹溝４２０が形成してあり、前記底板４０の上面と対応する結合面の厚さ方向の長手中央に凹溝４２１が形成してあり、当該凹溝４２１により、前記締結部材４４がより容易に各踏み板４２に結合でき、確実に位置決めすることができるという役割が期待できる。
【００１４】
また、この実施例における踏み板４２の凹溝４２１の構成は、前述の図２，図３，図４，図５，図６に示した実施例における踏み板２２，３２に適用しても良いことは勿論である。
【００１５】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【考案の効果】
以上説明したように、本考案の滑り止め床材は、底板の上面に所定のピッチで形成された複数の係合突起を多数列状に形成すると共に、前記踏み板の左、右両側端面にはそれぞれ凹溝を形成し、前記列状に配設した係合突起を、隣接する前記踏み板の対向する凹溝間に嵌合し、隣接する踏み板を前記底板の上面に結合させた構成としたので、床材に撓み現象が生ずることがなく、それ故に、床面が濡れて滑りやすい状態になっている場所に滑り止め床材を敷設しても、平坦な踏み板を歩行することが可能になり、歩行者に満足な快適感を与えることが出来ると共に、歩行中に不意に滑って転倒するようなことが確実に防止できる。
【図面の簡単な説明】
【図１】従来の滑り止め床材の分解斜視図。
【図２】本考案の滑り止め床材の具体的な一実施例の分解斜視図。
【図３】図２の実施例の組み合わせ完成斜視図。
【図４】図３の要部断面図。
【図５】本考案の滑り止め床材の他の実施例を示す断面図。
【図６】本考案の滑り止め床材のさらに異なる他の実施例の分解斜視図。
【符号の説明】
１０　　　　底板
１０２　　　係合突起
１２　　　　踏み板
１２０　　　凹溝
２０　　　　底板
２０２　　　係合突起
２０２ａ　　頭部
２０４　　　排水穴
２２　　　　踏み板
２２０　　　凹溝
３０　　　　底板
３０２　　　係合突起
３２　　　　踏み板
３２０　　　凹溝
４０　　　　底板
４００　　　貫通穴
４０２　　　係合突起
４２　　　　踏み板
４２０　　　凹溝
４２１　　　凹溝
４４　　　　締結部材
【図１】
0003098492.tif 000003
【図２】
0003098492.tif 000004
【図３】
0003098492.tif 000005
【図４】
0003098492.tif 000006
【図５】
0003098492.tif 000007
【図６】
0003098492.tif 000008